(57)【要約】  【課題】  背面基板側に誘電体層に覆われた２電極が存在する場合に、無効電力発生の抑制と、誘電体層の反射率向上とを両立可能なＰＤＰを提供する。  【解決手段】  前面板１０２及び背面板１０３が放電空間を挟んで並設され、前記前面板１０２の前記放電空間側に１対の表示電極と、前記背面板１０３の前記放電空間側にデータ電極１２８と補助電極１４１とが配設されるプラズマディスプレイパネルであって、前記背面板１０３側において、前記データ電極１２８と前記補助電極１４１とに接して誘電体層が形成されており、前記誘電体層は、第１誘電体層１３１及び当該第誘電領域よりも誘電率が低い第２誘電体層１３０を有し、前記データ電極１２８と前記補助電極１４１との間には、前記第２誘電体層１３０が介在し、第１誘電体層１３１は、前記第２誘電体層１３０よりも前記放電空間に近い位置に存在する。  【選択図】  図２
2006127913.tif 000002
【特許請求の範囲】
【請求項１】
前面基板及び背面基板が放電空間を挟んで並設され、前記前面基板の放電空間側に１対の表示電極と、前記背面基板の放電空間側に誘電体層でそれぞれ覆われたデータ電極と補助電極とが配設されるプラズマディスプレイパネルであって、
前記誘電体層は、第１誘電領域及び当該第１誘電領域よりも誘電率が低い第２誘電領域を有し、
前記データ電極と前記補助電極との間には、前記第２誘電領域が介在し、
前記第１誘電領域は、前記第２誘電領域よりも前記放電空間に近い位置に存在することを特徴とするプラズマディスプレイパネル。
【請求項２】
前記誘電体層の第２誘電領域には、空孔が存在することを特徴とする請求項１に記載のプラズマディスプレイパネル。
【請求項３】
前記誘電体層の第１誘電領域には、空孔が存在しており、
前記第２誘電領域中における誘電体と空孔との合計体積に対する当該空孔の第１体積割合が、前記第１誘電領域中における誘電体と空孔との合計体積に対する当該空孔の第２体積割合よりも大きいことを特徴とする請求項２に記載のプラズマディスプレイパネル。
【請求項４】
前記空孔の内径は、０．１μｍ以上であって、
前記第１体積割合及び前記第２体積割合が、いずれも５０％以下であることを特徴とする請求項３に記載のプラズマディスプレイパネル。
【請求項５】
前記第１誘電領域及び前記第２誘電領域は、それぞれ層状をなし、互いに重なり合う位置関係にあり、前記第２誘電領域の厚みの値が、５μｍ以上となっていることを特徴とする請求項１から４のいずれかに記載のプラズマディスプレイパネル。
【請求項６】
前記データ電極及び前記補助電極は、帯状であって、略平行に敷設されていることを特徴とする請求項２に記載のプラズマディスプレイパネル。
【請求項７】
前記データ電極及び前記補助電極は、帯状であって、立体交差する関係に配設されていることを特徴とする請求項２に記載のプラズマディスプレイパネル。
【請求項８】
前記データ電極は、前記補助電極よりも前記放電空間から遠い位置に配設されていることを特徴とする請求項７に記載のプラズマディスプレイパネル。
【請求項９】
前記第１誘電領域及び前記第２誘電領域のうちの少なくとも一方に、光散乱性物質が添加されていることを特徴とする請求項１から８のいずれかに記載のプラズマディスプレイパネル。
【請求項１０】
前記光散乱性物質は、酸化チタン、酸化バリウム、酸化鉛、酸化アルミニウム及び酸化マグネシウムのうち、少なくともいずれかを含むことを特徴とする請求項９に記載のプラズマディスプレイパネル。
【請求項１１】
前記補助電極は、プライミング放電を行う電極であり、
前記放電空間には、キセノンを含む放電ガスが充填されており、
前記キセノンの分圧が１０％以上とされていることを特徴とする請求項２に記載のプラズマディスプレイパネル。
【請求項１２】
前記データ電極及び前記表示電極対は、複数配設されており、
前記背面板の放電空間に臨む側には、隣り合う前記データ電極間に主隔壁が形成され、隣り合う表示電極対の間に、１対の副隔壁が並設され、
対をなす副隔壁同士で挟まれる空間が、前記プライミング放電が実施される副放電空間となっており、
前記補助電極は、前記副放電空間に沿って配設されていることを特徴とする請求項１１に記載のプラズマディスプレイパネル。
【請求項１３】
前記前面基板側において、前記副放電空間に沿って遮光層が形成されていることを特徴とする請求項１２に記載のプラズマディスプレイパネル。
【請求項１４】
請求項１から１３のいずれかに記載のプラズマディスプレイパネルと、書き込み放電及び維持放電のための電圧印加を行う駆動部とを備えることを特徴とするプラズマディスプレイ装置。
【請求項１５】
前記駆動部は、書き込み期間または維持期間内において、前記補助電極に電圧パルスを印加することを特徴とする請求項１４に記載のプラズマディスプレイ装置。
【発明の詳細な説明】
【技術分野】
【０００１】
本発明は、プラズマディスプレイパネルに関し、特に、発光効率の向上と放電の安定化とを両立させる技術に関する。
【背景技術】
【０００２】
近年、コンピュータやテレビジョン受像機等に用いられているディスプレイ装置において、大画面で薄型軽量化を実現することのできるプラズマディスプレイ装置が注目されている。
このプラズマディスプレイ装置は、プラズマディスプレイパネル（以下、「ＰＤＰ」という。）と、このＰＤＰを電圧駆動する駆動部とからなる。
【０００３】
上記ＰＤＰは、前面ガラス基板及び背面ガラス基板が放電空間を挟んで並設され、放電空間側の上記前面ガラス基板上には、複数の表示電極対、誘電体層及び保護層が順次形成されており、また、放電空間側の上記背面ガラス基板上には、複数のデータ電極、誘電体層及びその壁面に蛍光体層が配された井桁状の隔壁が順次形成されており、このような状態の前面ガラス基板及び背面ガラス基板の外縁同士が、封着ガラスにより接合されてなる。
【０００４】
上記放電空間は、上記井桁状の隔壁によって仕切られており、個々の放電空間で放電を行い、この放電に伴って生じる紫外線を蛍光体に照射して可視光に変換することによって、画像が表示される。
ＰＤＰには、上記ガス放電を交流電圧によって発生させるＡＣ型と、上記ガス放電を直流電圧によって発生させるＤＣ型とに大別でき、その中でも特に、ＡＣ型は、コスト、発光効率及び寿命等の面でＤＣ型より優れ、近年の主流となっている。
【０００５】
消費電力の省電力化については、ＰＤＰが、同様に大画面で薄型軽量化の可能な液晶パネルと比較して、必ずしも進んでいるとは言えず、このためＰＤＰの消費電力を低減する様々な取り組みがなされている。
その一例として、書き込み放電の直前及び維持放電時に当該維持放電で使用する前面ガラス基板側に配された一対の表示電極対の一方と、背面ガラス基板に配された書き込みを行うデータ電極及び前記表示電極対とデータ電極とは別の新たな電極（以下、「補助電極」という。）との間で、それぞれいわゆる対向放電及びプライミング放電と呼ばれる予備的放電を行い、発光開始電圧や駆動電圧を低減して消費電力を低減するＰＤＰがある。（例えば、特許文献１及び特許文献２）
この特許文献１に記載のＰＤＰは、背面基板側に補助電極を設け、この補助電極と表示電極対の一方との間で上記対向放電を実施する。
【０００６】
特許文献２に記載のＰＤＰは、上記表示電極と上記データ電極との間で上記プライミング放電を実施する。
また、下記に示す特許文献３では、ＰＤＰの背面側の反射率を上げるために誘電体層の材料に、酸化チタン（ＴｉＯ2）、酸化ジルコニウム（ＺｒＯ2）、窒化ホウ素（ＢＮ）を充填材として添加することを開示している。
【特許文献１】特開２０００−１９４３１７号公報
【特許文献２】特開２００３−３１１３１
【特許文献３】特開平９−２３１９１０
【発明の開示】
【発明が解決しようとする課題】
【０００７】
ＰＤＰにおける消費電力の省電力化、すなわち発光効率の向上を図ろうとすれば画像表示の安定性や制御の容易性も考慮すると特許文献１のように、データ電極と補助電極とが近接配置され、それらの周囲が１つの誘電体層によって覆われている構成とし、特許文献２に開示されているようにプライミング放電を書き込み直前に発生させ、さらに特許文献３に開示されているように、背面基板上の誘電体層にＴｉＯ2等の充填材を含有させて反射率を向上させ、前面方向へより多くの可視光を向かわせる工夫が考えられる。
【０００８】
このように、データ電極と補助電極とを備えたＰＤＰにおいて、背面基板側に形成される誘電体層として、反射率の高い材料を充填することは、反射率を高めて前面基板側から発光光をより放射し易くする点で望ましい。
しかしながら、一般に、誘電体層の材料に反射率を高めるために屈折率の高い材料を使用あるいは充填すると、誘電体層の誘電率は大きくなる。
【０００９】
データ電極及び補助電極の一方に電圧を印加する場合、データ電極及び補助電極間に形成されるコンデンサ部分に放電に寄与しない電力がより多く消費されることとなり、無駄な電力、即ち、無効電力が増大する。
本発明は、このような問題を解決しようとなされたものであって、背面基板側に誘電体層に覆われた２電極が存在する場合に、無効電力発生の抑制と、誘電体層の反射率向上とを両立可能なＰＤＰを提供することを目的とする。
【課題を解決するための手段】
【００１０】
上記目的を達成するために、本発明に係るＰＤＰは、前面基板及び背面基板が放電空間を挟んで並設され、前記前面基板の放電空間側に１対の表示電極と、前記背面基板の放電空間側に誘電体層でそれぞれ覆われたデータ電極と補助電極とが配設されるプラズマディスプレイパネルであって、前記誘電体層は、第１誘電領域及び当該第１誘電領域よりも誘電率が低い第２誘電領域を有し、前記データ電極と前記補助電極との間には、前記第２誘電領域が介在し、前記第１誘電領域は、前記第２誘電領域よりも前記放電空間に近い位置に存在することを特徴とする。
【００１１】
また、前記誘電体層の第２誘電領域には、空孔が存在することが好ましい。
また、上記目的を達成するために、本発明に係るプラズマディスプレイ装置は、上述の構成を有するプラズマディスプレイパネルと、書き込み放電及び維持放電のための電圧印加を行う駆動部とを備えることを特徴とする。
【発明の効果】
【００１２】
本発明のＰＤＰによれば、前記データ電極と前記補助電極との間に形成される書き込み放電に寄与しないコンデンサ部分に、誘電率の低い第２誘電領域が存在し、書き込み放電に大きく寄与する放電空間に近い位置に、誘電率の高い第１誘電領域が存在している。
つまり、誘電体層が２層構造となっており、上記コンデンサ部分の静電容量を小さくする目的で誘電率の低減化を図ると共に、発光光の前面基板側への導光効率向上化の目的で反射率を向上させる誘電体層（上記第２誘電領域）と、放電セルの電荷保持性能を適正に調整するための誘電体層（上記第１誘電領域）とを、それぞれ独立させて設けることが可能となり、放電に寄与しない無駄な電力が消費される領域における誘電率の低減化と、誘電体層全体における反射率の向上化とが両立して実施され易くなる。そしてさらに、放電セルの電荷保持性能の適正化も第１誘電領域の存在により同時に成立させることができる。
【００１３】
一般に、誘電率の高い材料は屈折率が大きいため、誘電率と反射率とは、比例の関係にあることから、前記第２誘電領域においては、反射率が小さくなると考えられる。
ここで、上記反射率の高いものとは、母材自体が高反射率のもの、及び、母材に反射率を向上させる成分が添加されたものをいう。
しかしながら、本発明に係るＰＤＰは、前記誘電体層の第２誘電領域には、空孔が存在するので、当該空孔の存在によって、第２誘電領域の誘電率が小さく抑えられると共に、透過光の体積散乱性を高くすることができ、反射率も高まる。
【００１４】
つまり、上記コンデンサ部分の静電容量を小さくして無効電力の消費を抑制し、電力を有効に利用することができ、さらに、蛍光体から発せられる可視光を反射率の高い第２誘電領域で反射させ、前面基板側に効率的に導光することができる。
即ち、無効電力発生の抑制化と誘電体層の反射率向上化とが両立して図られ、アドレス書き込みに必要な電荷保持性能は誘電率を高く設定された第１誘電領域によって担保される。
【００１５】
また、前記第２誘電領域中における誘電体と空孔との合計体積に対する当該空孔の第１体積割合が、前記第１誘電領域中における誘電体と空孔との合計体積に対する当該空孔の第２体積割合よりも大きいことにより、書き込み放電に大きく寄与する前記第１誘電領域中の静電容量の低下が抑えられ、書き込み放電が確実に実施される。
また、前記空孔の内径が０．１μｍ以上で、前記第１体積割合及び第２体積割合が、５０％以下であるため、第２誘電領域の耐久性の確保と誘電率の低減化が両立して図られる。
【００１６】
また、前記第１誘電領域及び前記第２誘電領域は、それぞれ層状をなし、互いに重なり合う位置関係にあり、前記第２誘電領域の厚みの値が、５μｍ以上となっているので、データ電極と前記補助電極間の絶縁性が確保される。
なお、データ電極と補助電極の相対位置は、お互いに略平行に敷設されていても、あるいは立体交差する関係に配設されていても、本発明の同様の効果を得ることができる。
【００１７】
また、前記第１誘電領域及び前記第２誘電領域のうちの少なくとも一方に、光散乱性物質が添加されているため、より発光光を前面基板側に反射させ易く、発光効率を高めることができる。
また、前記補助電極は、放電開始時にプライミング放電を実施する電極であり、前記放電空間には、キセノンを含む放電ガスが充填されており、前記キセノンの分圧が１０％以上となっている。
【００１８】
上記構成においては、放電が不安定となる環境となるが、前記補助電極によりプライミング放電が実施されるため、放電を安定して発生させることができ、その際の無効電力の発生を低減することができる。
また、前記プライミング放電が実施される副隔壁に囲まれた副放電空間があるため、プライミング放電による発光光が外部に洩れにくい。
【００１９】
さらに、前記前面基板側において、前記副放電空間に沿って遮光層が形成されているため、前記プライミング放電による発光光がより外部に洩れにくい。
【発明を実施するための最良の形態】
【００２０】
本発明の実施の形態について、図面を参照しながら詳細に説明する。
図１は、本発明の実施の形態におけるプラズマディスプレイ装置８０の構成を説明する概要図である。
このプラズマディスプレイ装置８０は、外部から映像データを取得して画像を表示する薄型の画像表示装置であって、ＰＤＰ１００と駆動回路３０２とからなる。
（ＰＤＰ１００の構成）
このＰＤＰ１００は、図２に示すように、前面板１０２と背面板１０３とが放電空間を挟み、互いの主面を対向させた状態で、これらの周囲を未図示の封止材により封着されてなる。
【００２１】
上記放電空間には、キセノンの分圧が１０％以上の放電ガスが封入されている。
このようにキセノンの分圧を１０％以上と規定する目的は、維持放電時における紫外線発光量を高めることにある。
このように放電ガス中のキセノンの分圧を高めること（以下、「高キセノン化」という。）により、紫外線の発光効率が高められるが、その反面、書き込み放電や維持放電の放電開始電圧が上昇し、書き込み不良、即ち、黒ノイズが発生し易くなる。
【００２２】
前面板１０２は、前面ガラス基板１０４と、ブラックストライプ１１４と、対をなす表示電極１２０、即ち、サステイン電極１２０ａ及びスキャン電極１２０ｂと、誘電体層１２２と、保護層１２４とからなる。
前面ガラス基板１０４は、高歪点ガラスあるいはソーダライムガラスからなる前面板１０２のベースとなる基板であって、この前面ガラス基板１０４上に、対をなすサステイン電極１２０ａ及びスキャン電極１２０ｂが形成されている。
【００２３】
より具体的には、サステイン電極１２０ａは、透明なＩＴＯからなる帯状の透明電極１１０ａ上に、線状のバス電極１１２ａが積層されてなり、もう一方のスキャン電極１２０ｂも、これと同様の構成であって、透明なＩＴＯからなる帯状の透明電極１１０ｂ上に、線状のバス電極１１２ｂが積層されてなる。また、上記表示電極対同士の間には、遮光性のブラックストライプ１１４が形成されている。
【００２４】
表示電極１２０及び前面ガラス基板１０４は、Ｐｂ−Ｂ系の低融点ガラスを主成分とする誘電体層１２２で覆われ、さらに、ＭｇＯを主成分とする保護層１２４によって覆われている。
背面板１０３は、高歪点ガラスあるいはソーダライムガラスからなる背面ガラス基板１２６上にデータ電極１２８と、第２誘電体層１３０と、補助電極１４１と、第１誘電体層１３１と、井桁状の隔壁１３５とが順次形成され、さらに、隔壁１３５によって囲繞される空間、即ち、後述の主放電空間１４９及び副放電空間１４８のうち、主放電空間に臨む隔壁１３５の壁面と主放電空間の背面側に蛍光体層１５０が形成されてなる。
【００２５】
データ電極１２８と補助電極１４１とは、距離を置いて直交する位置関係にあり、さらに、補助電極１４１は、後述の副放電空間１４８に沿って形成される。
なお、バス電極１１２ａ及びバス電極１１２ｂは、銀（Ａｇ）、アルミニウム（Ａｌ）、クロム（Ｃｒ）からなる膜体、クロム（Ｃｒ）／銅（Ｃｕ）／クロム（Ｃｒ）の積層膜のいずれでも適用可能である。
【００２６】
また、データ電極１２８及び補助電極１４１については、酸化スズ（ＳｎＯ）あるいは酸化亜鉛（ＺｎＯ）のいずれをも基材として適用可能である。
図３は、図２におけるＡ点を通るＸＺ平面でＰＤＰ１００をカットした場合の概略断面図である。
ＰＤＰにおいて井桁状の隔壁が形成される場合、通常、セルの境界に沿って形成されるが、本実施の形態におけるＰＤＰ１００においては、図３に示すように、書き込み放電や維持放電などが実施される主放電空間１４９と、上述の高キセノン化による書き込み放電開始電圧の上昇を抑えるために行われるプライミング放電の実施場所となる副放電空間１４８とを独立して形成する目的で、隔壁１３５は、図２のＹ軸方向に伸びるセル境界に沿って並設されている１対の行隔壁部１３８及び行隔壁部１４０と、Ｘ軸方向に配設されている列隔壁部１３６（図２参照）とから構成される。
【００２７】
より具体的には、上記プライミング放電は、厳密にはスキャン電極１２０ｂと補助電極１４１との間で行われる、書き込み放電開始のきっかけとなる初期プラズマ粒子を発生させる放電である。
行隔壁部１３８及び行隔壁部１４０と、Ｘ軸方向に配設される列隔壁部１３６とで仕切られる空間のうち、体積が大きい方が主放電空間１４９となっており、また、体積が小さい方が副放電空間１４８となっている。
【００２８】
また、隔壁１４０の高さは、隔壁１３８の高さより若干低く設定されている。
ブラックストライプ１１４は、遮光性を有する膜体であって、副放電空間１４８に沿って形成されており、その形成目的は、紫外線の発生に起因して生じる可視光を遮蔽し、外部に洩らさぬようにすることにある。
隣り合う一対のサステイン電極１２０ａ及びスキャン電極１２０ｂと１本のデータ電極１２８及び補助電極１４１とが、主放電空間１４９及び副放電空間１４８を挟んで交叉する領域の近傍、即ち、図１におけるＢ部の領域が、画像表示に寄与する複数存在するセルのうちの一つとなる。
【００２９】
ＰＤＰ１００では、主放電空間１４９内で行われる維持放電により紫外線が発生し、発生した紫外線が蛍光体層１５０に照射されることにより、この紫外線が可視光に変換され、セルが点灯し、画像が表示される。
また、主放電空間１４９内で行われるスキャン電極１２０ｂとデータ電極１２８との間で実施される書き込み放電に先行して、副放電空間１４８内で実施されるプライミング放電によりＰＤＰ１００の駆動電力低減化が図られている。
（表示駆動部３０２の構成）
以下、プラズマディスプレイ装置８０における表示駆動部３０２について、図１に戻って説明する。
【００３０】
図１に示すように、表示駆動部３０２は、データ検出部３１０、サブフィールド変換部３２０、表示制御部３３８、サステインドライバ３５０、スキャンドライバ３６０、データドライバ３７０及びパルスジェネレータ３７５から構成されている。
データ検出部３１０は、外部から逐次到来する映像データから得られる１画面分の画像データにもとづいて、当該画面の各１画素を構成する３原色の各色成分に対応するセルの階調値を検出し、サブフィールド変換部３２０に順次転送する。
【００３１】
ここで、１画面毎の検出は、映像データに含まれる垂直同期信号を基準として実施することが可能である。
サブフィールド変換部３２０は、サブフィールドメモリ３２１を内蔵し、データ検出部３１０から転送されてくる画像データをＰＤＰ１００に階調表示させるための各サブフィールドにおけるセルの点灯／消灯を示す２値のデータの集合であるサブフィールドデータに変換してサブフィールドメモリ３２１に格納する。
【００３２】
そして、サブフィールド変換部３２０は、表示制御部３３８からトリガ信号を受信し、このトリガ信号の受信に同期させて、サブフィールドデータを各サブフィールド単位でサステインドライバ３５０及びスキャンドライバ３６０に出力する。
表示制御部３３８は、スキャン電極１２０ｂ、サステイン電極１２０a、データ電極１２８及び補助電極１４１のそれぞれに対し、図４に示す電圧パルスを印加するように制御する機能を有する。
【００３３】
より具体的には、表示制御部３３８は、上記映像データと同期して同期信号（例えば、水平同期信号（Ｈｓｙｎｃ）、垂直同期信号（Ｖｓｙｎｃ））を受信し、各サブフィールドにおいて、図４に示すパルス出力が設定されている時期となったとき、当該パルスが設定されている電極に対応するサステインドライバ３５０、スキャンドライバ３６０、データドライバ３７０またはパルスジェネレータ３７５にトリガ信号を出力する。
【００３４】
この表示制御部３３８によるパルスジェネレータ３７５及びスキャンドライバ３６０へのトリガ信号出力は、書き込み期間の先頭においてプライミング放電を実施するために行われるものである。
ここで、表示制御部３３８は、図４の破線が示すように、維持期間において、スキャン電極１２０ｂの電圧パルスに同期して、データ電極１２８に電圧を印加するタイミングを指示するトリガ信号を、データドライバ３７０に出力してもよく、また、図示していないが、破線に示された電圧をデータ電極１２８に印加する代わりに、これと同様の電圧パルスを補助電極１４１に印加するタイミングを指示するトリガ信号を、パルスジェネレータ３７５に出力してもよい。
【００３５】
サステインドライバ３５０は、公知のドライバＩＣ回路が用いられており、ＰＤＰ１００における前面板９０に設けられた複数のサステイン電極１２０aに接続されている。
サステインドライバ３５０は、入力されたトリガ信号にもとづいて、全放電セルにおいて、安定した初期化放電、維持放電および消去放電を行うことができるように各サブフィールドの初期化期間、維持期間において複数のサステイン電極１２０aに対して初期化パルス、書き込みパルス（約＋１８０Ｖ）、０Ｖと＋１８０Ｖ以上＋２２０Ｖ以下の範囲内で設定された所定の電圧（好ましくは＋２００Ｖ）との間で変化する維持パルスをサステイン電極１２０aに印加する。
【００３６】
スキャンドライバ３６０は、公知のドライバＩＣ回路が用いられており、ＰＤＰ１００における前面板９０に設けられたスキャン電極１２０bの個々と接続されている。
スキャンドライバ３６０は、入力されたトリガ信号にもとづいて、全放電セルにおいて、安定した初期化放電、書き込み放電および維持放電を行うことが出来るように各サブフィールドの初期化期間、書き込み期間および維持期間において複数のスキャン電極１２０bに対して各々初期化パルス、書き込みパルス（約＋１００Ｖ）、０Ｖと＋１８０Ｖ以上＋２２０Ｖ以下の範囲内で設定された所定の電圧（好ましくは＋２００Ｖ）との間で変化する維持パルスを印加する。
【００３７】
このうち、書き込みパルスにおいては、サブフィールド変換部３２０から受け取るサブフィールドデータにもとづいて、スキャン電極１２０ｂへの電圧の印加が選択的に実施される。
データドライバ３７０は、公知のドライバＩＣ回路（例えば、特開２００２−２８７６９１号公報に記載のドライバＩＣ回路などを参照。）が用いられており、ＰＤＰ１００における背面板１０３に設けられた複数のデータ電極１２８に接続されている。
【００３８】
また、データドライバ３７０は、入力されたトリガ信号にもとづいて、各サブフィールドの書き込み期間に複数のデータ電極１２８に対し、０Ｖを初期電圧とし、６０Ｖ以上＋９０Ｖ以下の範囲内で設定された所定の電圧（好ましくは＋７５Ｖ）をピークとする書き込みパルスを印加する。
パルスジェネレータ３７５は、表示制御部３３８から受け取るトリガ信号をトリガとして、０Ｖを初期電圧とし、＋６０Ｖ以上、＋９０Ｖ以下の範囲内で設定された所定の電圧（好ましくは＋７５Ｖ）をピークとするパルス電圧を補助電極１４１に印加する。
（本実施の形態におけるプラズマディスプレイ装置８０の特徴）
図３に示すように、本実施の形態におけるＰＤＰ１００は、背面板１０３側に形成される誘電体層が、１層のみで形成されているのではなく、データ電極１２８及び補助電極１４１間に形成された第２誘電体層１３０と、その上に形成された第１誘電体層１３１との２層構造となっており、さらに、第２誘電体層１３０が、第１誘電体層１３１よりも比誘電率が小さく、かつ、第１誘電体層１３１より反射率が高くなっている。
【００３９】
このような構成とするのは、背面板１０３側の反射率を高めて前面ガラス基板１０４を通過する発光光の強度をより高めると共に、データ電極１２８と補助電極１４１との間に形成されるコンデンサ部分への無用な電荷の蓄積の抑制、即ち、無効電力の消費を抑制するためである。
より具体的には、第２誘電体層１３０及び第１誘電体層１３１は、同一の組成からなる誘電体からなり、第２誘電体層１３０内には、図５に示すように、複数の空孔１３０aが内包されており、これにより、第２誘電体層１３０の見かけ上の密度が２誘電体層１３１の密度よりも小さい。
【００４０】
なお、第１誘電体層１３１及び第２誘電体層１３０は、母材と物性の異なる物質、例えば、誘電率の異なる物質が添加されていてもよい。
上述のように、誘電体層内部に複数の空孔を設けることにより、第２誘電体層１３０の体積散乱性能が高められて反射率が高められると共に、図６に示すように、比誘電率が低下する。
【００４１】
また、第２誘電体層１３０内に、空孔を多く形成し過ぎると、図６に示すように、第２誘電体層１３０の強度、即ち、耐久性が悪化するため、空孔の第２誘電体層１３０全体に占める体積割合が、５０％以下であることが望ましい。
また、比誘電率を低減する効果を十分得るためには、前記空孔の内径は、０．１μｍ以上であることが望ましい。
【００４２】
なお、図中の横軸に記載の空間の体積率とは、見かけ上の誘電体層の体積、即ち、誘電体層自身の体積とこれに含まれる空孔の体積の総和に対する誘電体層中に含まれる全空孔の体積の割合を意味する。
以下、背面板１０３側に形成される誘電体層について詳細に説明する。
一般に、材料物性に着目した場合、反射率と屈折率とは比例関係にあり、また、屈折率と、比誘電率と、透磁率との間には、以下に示す数１の関係が成り立つ。
【００４３】
【数１】
2006127913.tif 000003
【００４４】
従来、特開平２７７３３９３号公報及び特開平９−２３１９１０号公報に示す方法のように、誘電体層の反射率及び比誘電率の調整に、母材となる低融点ガラスに物性の異なる添加物を含有させる方法が多く用いられているが、数１の関係により、反射率の高い材料を誘電体層に使用すれば、比誘電率が大きくなり、また、比誘電率の小さな材料を誘電体層に使用すれば、反射率が小さくなるというジレンマに陥り、本実施の形態におけるＰＤＰ１００のように、誘電体層の比誘電率を低減しつつ、反射率を大きくすることができない。
【００４５】
また、高キセノン化が図られた環境においても、確実に書き込みが行われるように、即ち、書き込みミスが発生しないように、放電空間に臨む誘電体表面においては、比誘電率の値を従来と同等レベルに維持しなければならないという制約もある。
発明者らは、背面板１０３側に形成される誘電体層を第２誘電体層１３０及び第１誘電体層１３１の２層構造にすることで、反射率を向上させる部分と比誘電率を高める部分とを独立的に設けることにより上記制約を満足した上で、上記ジレンマの解消が図れることを見出した。
【００４６】
以下、その詳細について記載する。
一般に、空孔１３０aと誘電体層の母材１３０bからなる第２誘電体層１３０の比誘電率は、母材１３０bの比誘電率と、空孔１３０aとの比誘電率の加重平均により求められるものと考えられ、比誘電率ε2の母材１３０bに比誘電率ε0の空孔を内包させた第２誘電体層１３０の比誘電率ε1は、数２により示される。
【００４７】
【数２】
2006127913.tif 000004
【００４８】
ここで、ε0、ε1、ε2、ｔはそれぞれ空気の比誘電率、前記第２誘電体層１３０のみかけの比誘電率、前記物質の比誘電率、前記第２誘電体層１３０に対する空孔の体積比である。
通常、空孔の比誘電率ε0、即ち、空気の比誘電率は１とみなすことができ、ε2＞ε0（＝１）となるので、ε1＜ε2となり、空孔を多く含めば含むほど前記第２誘電体層１３０は、母材の比誘電率より小さくなる。
【００４９】
なお、前記第２誘電体層１３０は、補助電極１４１及びデータ電極１２８の放電によって、少しずつ絶縁破壊が進行するため、スパッタ耐性を有する厚さが必要となるので、これを考慮して５μｍ以上に設定される。
第１誘電体層１３１は、空孔が含まれておらず、比誘電率ε2の母材１３０bと同様の組成からなるものであり、前記第２誘電体層１３０上に形成されており、副放電空間１４８に対して露出している。
（第１及び第２誘電体層と、データ電極及び補助電極との位置関係）
本実施の形態では、図３に示すように、先ず、背面ガラス基板１２６上にデータ電極１２８が積層され、その上に第２誘電体層１３０が積層され、その上に補助電極１４１がデータ電極１２８と距離を置いて直交するように配設され、その上に第１誘電体層１３１が積層されている。
【００５０】
つまり、背面板１０３において、背面ガラス基板１２６側を下側と定義した場合、データ電極１２８は、第２誘電体層１３０の最下層に位置し、補助電極１４１は、第１誘電体層１３１の最下層に位置する。
無論、図７に示すように、データ電極１２８及び補助電極１４１を、それぞれ第２誘電体層１３０及び第１誘電体層１３１の中間位置に設けたり、また、図８に示すように、データ電極１２８及び補助電極１４１の両電極とも第２誘電体層１３０内に設けても構わない。
【００５１】
しかしながら、発明者らは、机上検討の末、図７に示す構成において、間隔ｄ2及び間隔ｄ0が０となるとき、即ち、データ電極１２８が第２誘電体層１３０の最下層に存在し、補助電極１４１が第１誘電体層１３１の最下層に存在する図３に示す構成が、第２誘電体層１３０と第１誘電体層１３１とを合わせた誘電体層全体における反射率の値が最も高められ、かつ、データ電極１２８と補助電極１４１間に形成されるコンデンサ部分の誘電率を最も低くできることを見出した。
（変形例１）
本実施の形態では、第１誘電体層１３１は、空孔が含まれておらず、誘電率ε2の母材１３０bと同様の組成からなるとしたが、これに限らず、図９に示すように、第２誘電体層１３０よりも、全容積に対する空孔１３１ａの体積割合、即ち、空隙率が小さくなるように空孔１３１ａを第１誘電体層１３１内に分散配置してもよい。
【００５２】
ここで、第２誘電体層１３０よりも、空隙率が小さくなるように空孔１３１ａを第１誘電体層１３１内に分散配置するとしたのは、第１誘電体層１３１が、放電に寄与する誘電体層であるため、静電容量を極力従来並みに維持するためである。
つまり、書き込み放電の信頼性を確保するため、第１誘電体層１３１の比誘電率ε2の値を、従来並みの値に近づける必要がある。
（変形例２）
本実施の形態では、補助電極１４１は、副放電空間１４８において、プライミング放電を実施するためのものであり、立体交差する補助電極１４１とデータ電極１２８との間に形成されるコンデンサ部分への電荷の蓄積を問題にしていたが、これら電極の形成目的を問わず、また、電極の配設方向を問わず、単に背面基板側に、２電極が配設されており、互いに近接する状態でありさえすれば、無効電力は発生するので、本発明は有効となる。
【００５３】
例えば、背面基板側に異なる２電極が並設されている場合、図１０に示すように、これら２電極を第２誘電体層１３０の最下層に配置し、第２誘電体層１３０の上層に第１誘電体層１３１を形成することによっても、従来のように空孔を含まない第２誘電体層１３０のみで、これら２電極を覆う場合よりも、反射率を向上させつつ、上記２電極間に形成されるコンデンサ部分の静電容量を小さく抑えることができる。
【００５４】
つまり、上記２電極のいずれかに電圧を印加した場合において、無効電力の発生の低減化と、背面板側の反射率の向上化とを両立して実施することができる。
また、上記２電極が平行配置される場合であっても、例えば、図１１に示すように、背面ガラス基板１２６からの位置が異なる位置に平行配置される場合、即ち、高さ的に異なる位置で並設されている場合には、第２誘電体層１３０の最下層にデータ電極１２８を配設し、第１誘電体層１３１の最下層に補助電極１４１を配設する構成が、最も効率的に反射率を高めつつ、上記コンデンサ部分の静電容量を小さく抑えることができる。
（ＰＤＰ１００の製造方法）
本実施の形態のＰＤＰ１００は、背面板側の誘電体層の形成方法が従来とは異なる。
【００５５】
以下、背面板側の誘電体層の形成方法について説明する。
（第１誘電体層１３１及び第２誘電体層１３０の形成方法）
複数のデータ電極１２８またはその前駆体が公知技術によって並設されている状態の背面ガラス基板１２６上に、印刷法、ダイ塗布方式の塗布法あるいはマスクスクリーン印刷法を用いて、Ｐｂ−Ｂ系の低融点ガラスペーストを塗布して第２誘電体層１３０の前駆体を形成する。
【００５６】
ここで、上記ガラスペーストは、予め、粘度が高められたものに空気が吹き込まれた後に攪拌され、内部の気泡が分散化されている状態となっている。
続いて、上記公知の技術を用いて、Ａｇペーストを第２誘電体層１３０の前駆体上にデータ電極１２８と直交する方向に塗布し、補助電極１４１の前駆体を形成する。
さらに、上記公知の技術を用いて、補助電極１４１の前駆体が形成された第２誘電体層１３０の前駆体上に、Ｐｂ−Ｂ系の低融点ガラスペーストを塗布して、第１誘電体層１３１の前駆体を形成した後、焼成して形状を固定化する。
【００５７】
第２誘電体層１３０内の空孔の径や空隙率は、第２誘電体層１３０の前駆体を形成するために用いられるガラスペーストに含有させる気泡やペーストの粘度を調整する以外にも、焼成時間や温度によっても調整することができる。
（その他の事項）
（１）本実施の形態に係る誘電体層は、２層のみの構成に限定されるのではなく、幾層になっていても構わない。ただし、データ電極１２８と補助電極１４１の間には誘電率の低い誘電体層が形成され、その上、即ち、放電空間に近い側には、誘電率の高い誘電体層が存在する。
（２）本実施の形態に係る誘電体層は、誘電率の異なる２つの誘電体層によって形成することだけに限定するものではなく、例えば、１つの誘電体層の中に誘電率の低い領域から誘電率の高い領域に徐々に変化するものであっても構わない。
【００５８】
つまり、誘電率の低い領域と高い領域に境界がない場合であっても構わない。
ただし、データ電極１２８と補助電極１４１の間には、他の領域に比べ、比較的誘電率の低い領域が存在するものとする。
（３）誘電体層の厚みは、本実施の形態に限定するものではなく、発光効率の向上、及び消費電力の低減することが可能な範囲において変更しても構わない。
【産業上の利用可能性】
【００５９】
本願発明は、テレビジョン受像機及びコンピュータ用モニタなどに用いられる表示デバイスに適用可能である。
【図面の簡単な説明】
【００６０】
【図１】本発明の実施の形態におけるプラズマディスプレイ装置の構成を説明する概要図である。
【図２】本発明の実施の形態におけるＰＤＰの概略断面斜視図である。
【図３】図２におけるＡ点を通るＸＺ平面でＰＤＰをカットした場合の概略断面図である。
【図４】本発明の実施の形態における各電極への電圧パルスの印加状況を示す図である。
【図５】本発明の実施の形態における背面基板側の誘電体層の断面図である。
【図６】誘電体層中の空孔、即ち、空間の体積率と、誘電率及び耐久性との関係を示す図である。
【図７】誘電体層中における第１及び第２誘電体層、データ電極、補助電極の相対的位置の最適位置について説明するための図である。
【図８】本発明の実施の形態における第１誘電体層と第２誘電体層との相対的位置に関する変形例について説明する図である。
【図９】本発明の実施の形態における第１誘電体層と第２誘電体層との相対的位置に関する別の変形例について説明する図である。
【図１０】本発明の実施の形態におけるデータ電極と補助電極との相対的位置に関する変形例について説明する図である。
【図１１】本発明の実施の形態におけるデータ電極と補助電極との相対的位置に関する別の変形例について説明する図である。
【符号の説明】
【００６１】
８０    プラズマディスプレイ装置
９０    前面板
１００    ＰＤＰ
１０２    前面板
１０３    背面板
１０４    前面ガラス基板
１１０ａ  透明電極
１１０ｂ  透明電極
１１２ａ  バス電極
１１２ｂ  バス電極
１１４    ブラックストライプ
１２０    表示電極
１２０ａ  サステイン電極
１２０ｂ  スキャン電極
１２２    誘電体層
１２４    保護層
１２６    背面ガラス基板
１２８    データ電極
１３０    第２誘電体層
１３０ａ  空孔
１３０ｂ  母材
１３１    第１誘電体層
１３１ａ  空孔
１３５    隔壁
１３６    列隔壁部
１３８    隔壁
１３８    行隔壁部
１４０    隔壁
１４０    行隔壁部
１４１    補助電極
１４８    副放電空間
１４９    主放電空間
１５０    蛍光体層
３０２    駆動回路
３０２    表示駆動部
３１０    データ検出部
３２０    サブフィールド変換部
３２１    サブフィールドメモリ
３３８    表示制御部
３５０    サステインドライバ
３６０    スキャンドライバ
３７０    データドライバ
３７５    パルスジェネレータ
【図１】
2006127913.tif 000005
【図２】
2006127913.tif 000006
【図３】
2006127913.tif 000007
【図４】
2006127913.tif 000008
【図５】
2006127913.tif 000009
【図６】
2006127913.tif 000010
【図７】
2006127913.tif 000011
【図８】
2006127913.tif 000012
【図９】
2006127913.tif 000013
【図１０】
2006127913.tif 000014
【図１１】
2006127913.tif 000015